(57)【要約】【課題】プラスチック製の包装袋や包装シートなどのゴミのように形状も大きさもばらばらで比重が小さく嵩高な被選別物を選別するのに適した風力選別装置を提供する。【解決手段】投入された被選別物を搬送する搬送手段１が設けられ、搬送手段１の搬出端１２下方手前には被選別物中の軽量物を回収する軽量物回収部３が配置されるとともに、軽量物回収部３の前方には被選別物中の重量物を回収する重量物回収部４が配置される一方、搬送手段１の搬出端１２前方にはこの搬出端１２から放出される被選別物に対して軽量物回収部３側から吸い込んだ空気を噴射して軽量物を軽量物回収部３に導く噴射手段５が設けられ、さらに、軽量物回収部３と重量物回収部４との境界にはこの境界部に落下する軽量物を軽量物回収部３に導く案内手段６が設けられている。【選択図】　図１
2004008879.tif 000002
【特許請求の範囲】
【請求項１】
投入された被選別物を搬送する搬送手段が設けられ、該搬送手段の搬出端下方手前には上記被選別物中の軽量物を回収する軽量物回収部が配置されるとともに、この軽量物回収部の前方には被選別物中の重量物を回収する重量物回収部が配置される一方、搬送手段の搬出端前方にはこの搬出端から放出される被選別物に対して軽量物回収部側から吸い込んだ空気を噴射して軽量物を軽量物回収部に導く噴射手段が設けられ、さらに、軽量物回収部と重量物回収部との境界にはこの境界部に落下する軽量物を軽量物回収部に導く案内手段が設けられたことを特徴とする風力選別装置。
【請求項２】
前記案内手段は、前記境界部に沿って設けられた駆動ローラと、この駆動ローラを支持するとともに、駆動ローラの立設角度を調整可能な支持調整機構とを備え、駆動ローラの回転駆動により駆動ローラ上に落下した軽量物を軽量物回収部に導くように構成されたことを特徴とする風力選別装置。
【請求項３】
前記噴射手段は、その噴射方向が調整可能になされたことを特徴とする請求項１又は２記載の風力選別装置。
【発明の詳細な説明】
【０００１】
【発明の属する技術分野】
本発明は、ゴミなどの被選別物を選別する風力選別装置に関し、特に、プラスチック製の包装袋や包装シートなどの比重が小さく嵩高なものを選別するのに適した風力選別装置に関するものである。
【０００２】
【従来の技術】
従来、搬送コンベアに投入した被選別物を当該搬送コンベアにより所定の速度で搬送して搬出端から放出し、この放出して飛行する被選別物にブロワーから空気を噴射することで、比重の小さいものを搬出端の手前側に、比重の大きいものを奥側に落下させて選別する風力選別装置が提供されている（例えば特公昭５５−２５９１２号公報参照）。
【０００３】
【発明が解決しようとする課題】
しかしながら、上記従来のような風力選別装置においては、形状や大きさが大体一定な安定した被選別物を選別するには、適しているものの、例えばプラスチック製の包装袋や包装シートなどのゴミのように形状も大きさもばらばらなものを選別するのには、これらゴミの落下位置が安定しないとともに、その性状からして回収部の境界部分に積み重なりやすく、このようなゴミの選別には適さないという問題があった。
【０００４】
本発明は、上記問題点に鑑みてなされたもので、その目的とするところは、プラスチック製の包装袋や包装シートなどのゴミのように形状も大きさもばらばらで比重が小さく嵩高な被選別物を選別するのに適した風力選別装置を提供することを目的とするものである。
【０００５】
【課題を解決するための手段】
請求項１に係る発明の風力選別装置は、投入された被選別物を搬送する搬送手段が設けられ、該搬送手段の搬出端下方手前には上記被選別物中の軽量物を回収する軽量物回収部が配置されるとともに、この軽量物回収部の前方には被選別物中の重量物を回収する重量物回収部が配置される一方、搬送手段の搬出端前方にはこの搬出端から放出される被選別物に対して軽量物回収部側から吸い込んだ空気を噴射して軽量物を軽量物回収部に導く噴射手段が設けられ、さらに、軽量物回収部と重量物回収部との境界にはこの境界部に落下する軽量物を軽量物回収部に導く案内手段が設けられたものである。
【０００６】
請求項２に係る発明の風力選別装置は、前記案内手段が、前記境界部に沿って設けられた駆動ローラと、この駆動ローラを支持するとともに、駆動ローラの立設角度を調整可能な支持調整機構とを備え、駆動ローラの回転駆動により駆動ローラ上に落下した軽量物を軽量物回収部に導くように構成されたものである。
【０００７】
請求項３に係る発明の風力選別装置は、前記噴射手段の噴射方向が調整可能になされたものである。
【０００８】
【発明の実施の形態】
以下、本発明の実施の形態を図面を参照して説明する。
【０００９】
図１は、本発明の風力選別装置の全体構成を示している。
【００１０】
図１において、１は搬送手段としての搬送コンベアである。この搬送コンベア１は、上面が搬送面になされており、図１おける右側端部が搬入端部１１になされるとともに、その反対側（図１において左側端部）が搬出端部１２になされている。
【００１１】
搬送コンベア１の上記搬入端部１１上方には当該搬送コンベア１に被選別物としての選別ゴミを投入するホッパ２が設けられている。従って、ホッパ２を通じて搬入端部１１上に投入されたゴミは、搬送コンベア１により所定の搬送速度で搬出端部に向かって搬送され、この搬出端部から搬送方向前方に向かって放出される。
【００１２】
そして、搬送コンベア１の搬出端部１２の下方手前が軽量ゴミ回収部３になされるとともに、この軽量ゴミ回収部３の前方が重量ゴミ回収部４になされている。
【００１３】
軽量ゴミ回収部３は、搬送コンベア１の搬出端部１２から前方に放出されるゴミのうちから軽量ゴミを回収するためのもので、底部には図示しないホッパが設けられており、このホッパを通じて回収した軽量ゴミを搬送コンベアなどにより適宜に搬送するようになされている。
【００１４】
重量ゴミ回収部４は、搬送コンベア１の搬出端部１２から前方に放出されるゴミのうちから重量ゴミを回収するためのもので、底部には図示しないホッパが設けられており、このホッパを通じて回収した重量ゴミを搬送コンベアなどにより適宜に搬送するようになされている。
【００１５】
ここで、軽量ゴミとは、比重が小さく嵩高なゴミをいい、例えばプラスチック製の包装袋や包装シートなど、所謂その他容器包装プラスチックといわれるゴミを対象にしており、この軽量ゴミを除いたゴミが重量ゴミになる。
【００１６】
一方、搬送コンベア１の搬出端部１２の前方には、噴射手段５が設けられている。噴射手段５は、搬出端部１２から前方に放出されて落下するゴミに対して空気を噴射して前記軽量ゴミを軽量ゴミ回収部３に導くためのもので、噴射ノズル５１と、この噴射ノズル５１に空気を供給する供給装置５２とから構成されている。
【００１７】
噴射ノズル５１は、搬出端部１２の前方に配設されており、その先端の噴射口５１ａが軽量ゴミ回収部３に向かって配置されるとともに、この噴射口５１ａの噴射方向が調整可能に構成されている。
【００１８】
供給装置５２は、図２に示すように噴射ノズル５１にブロワー５３の吹出側が供給管５４を通じて連通されるとともに、ブロワー５３の吸込側が吸込管５５を通じて前記軽量ゴミ回収部３に臨んで設けられた吸気口５６に連通されている。また、吸込管５５のブロワー５３の吸込側にはサイクロン５７が介装されている。
【００１９】
従って、ブロワー５３の作動により装置内においては吸気口５６から軽量ゴミ回収部３側の空気を吸い込み、この空気を噴射ノズル５１から搬出端部１２の前方に放出されたゴミに向かって噴射することで、このゴミ中の軽量ゴミを噴射空気とともに軽量ゴミ回収部３に導くようにしている。
【００２０】
このように軽量ゴミ回収部３側から吸い込んだ空気を噴射ノズル５１から当該軽量ゴミ回収部３側に向けて噴射することによって、装置内部には循環気流が生じることになる。これにより装置内部においては円滑な空気の流れが確保され、軽量ゴミ回収部３における比重の小さい軽量ゴミの舞い上がりなどを防止することができ、軽量ゴミの回収を円滑に行うようにしている。
【００２１】
さらに、前記軽量ゴミ回収部３と重量ゴミ回収部４との境界部には案内手段６が設けられている。この案内手段６は、図３及び図４に示すように境界部付近に落下する軽量ゴミを軽量ゴミ回収部３に円滑に導くためのもので、駆動ローラ６１と、該駆動ローラ６１を支持するとともに、駆動ローラ６１の立設角度を調整可能な支持調整機構６２とを備えている。
【００２２】
駆動ローラ６１は、後述する左右一対の支持アーム６３の先端部に軸支されており、図示しない内蔵モータによりそのローラ部が回転自在に構成されている。ローラ部は図１において時計回りに回転駆動するようになされており、この回転によりローラ部上に落下したゴミ、つまり軽量ゴミを軽量ゴミ回収部３に導入するようにしている。
【００２３】
支持調整機構６２は、左右一対の支持アーム６３と、これら支持アーム６３間に設けられた仕切板６４と、調整アーム６５とを備えている。
【００２４】
支持アーム６３は、基端部が境界部に沿って幅方向に軸支された支持軸６６の両端部に当該支持軸６６と一体的に設けられており、前述したように左右の支持アーム６３の先端部間に前記駆動ローラ６１が軸支されている。
【００２５】
仕切板６４は、駆動ローラ６１と支持軸６６との間に生じる空間を仕切るもので、これら駆動ローラ６１と支持軸６６との軸芯方向に沿って配置されるとともに、その両端部が支持アーム６３に貫通した状態で支持されている。
【００２６】
調整アーム６５は、基端部が前記支持軸６６の一端に当該支持軸６６と一体的に設けられており、装置本体に設けられたガイド部材６７の長孔である調整孔６７ａに沿って揺動自在に設けられている。従って、調整アーム６５を調整孔６７ａ（図４参照）に沿って適宜な位置に前後に揺動させ、ボルト・ナット６８等の固定手段で調整孔６７ａを通じてガイド部材６７に固定することで、支持アーム６３も同様に前後に揺動し、これにより駆動ローラ６１の立設角度を調整することができる。
【００２７】
なお、この駆動ローラ６１の位置を把握する目安になるように目盛り６９がガイド部材６７の下方に設けられている。
【００２８】
このように構成された案内手段６を境界部に設けることで、たとえ境界部に軽量ゴミが落下しても、駆動ローラ６１により円滑に軽量ゴミ回収部に導くことができ、当該境界部に軽量ゴミが堆積するのを防止することができる。
【００２９】
そして、搬送コンベア１の搬送速度、噴射手段５の風量及び風速、案内手段６の角度は、選別する被選別ゴミの性状などを考慮して軽量ゴミが軽量ゴミ回収部３上に円滑に落下するように相対的に設定するようにしている。
【００３０】
次に、このように構成された風力選別装置による選別動作について説明する。
【００３１】
まず、ホッパ２を通じて搬送コンベア１に投入された被選別ゴミは、当該搬送コンベア１により搬出端部１２側に所定の搬送速度で搬送され、搬出端部１２から前方に放出され、放物線を描いて落下する。
【００３２】
そして、この落下途中で噴射手段５により噴射ノズル５１から空気を被選別ゴミに噴射することで、被選別ゴミ中の軽量ゴミは比重が小さいので放出方向とは反対側の後方に押し戻されて軽量ゴミ回収部３に落下して回収される。一方、軽量ゴミを除く比重の大きい被選別ゴミは、放出した上記空気の噴射にあまり影響を受けずに放出した勢いで前方に落下して重量ゴミとして重量ゴミ回収部４に落下して回収される。
【００３３】
この際、噴射ノズル５１からは軽量ゴミ回収部３側から吸い込んだ空気を噴射しているので、装置内部においては噴射ノズル５１から軽量ゴミ回収部３を通じて吸気口５６との間で循環流が生じており、この循環流が円滑な流線を確保している。このため、軽量ゴミ回収部３内においては軽量ゴミの吹き上がりなどを生じさせることなく、軽量ゴミを円滑に軽量ゴミ回収部３に回収することができる。
【００３４】
また、軽量ゴミは不規則な動きで落下することから、境界部に位置する案内手段６上に落下することがあるものの、落下した軽量ゴミは駆動ローラ６１の回転駆動によって強制的に軽量ゴミ回収部３に導入されることになる。これにより案内手段６上での軽量ゴミの堆積を確実に防止して円滑に回収することができる。
【００３５】
ところで、軽量ゴミは、上述したようにその性状から重量ゴミのような安定した放物線を描くことなく不規則に落下するため、多少は重量ゴミ回収部４側に落下することは避けられない。しかし、この風力選別装置により軽量ゴミと重量ゴミとに選別するのは、重量ゴミのさらなる選別を円滑に行うために予め軽量ゴミを除去するためであり、ここでは完全な選別ではなく、重量ゴミの選別に支障の無い範囲で軽量ゴミを概ね除去できれば良い。
【００３６】
なお、本実施の形態では、案内手段として駆動ローラ６１を備えた案内手段６について説明したが、案内手段はこの他の構成でもよい。例えば案内手段を搬送コンベアで構成してもよく、この搬送コンベアの搬入端部を前記境界部に配置し、搬入端部に落下した軽量ゴミを搬送コンベアの搬送により軽量ゴミ回収部３へ導入するようにしてもよい。
【００３７】
【発明の効果】
以上述べたように、本発明の風力選別装置によれば、噴射手段より軽量ゴミ回収部側から吸い込んだ空気を当該軽量ゴミ回収部に噴射して円滑な循環流を確保しているとともに、案内手段により境界部に落下する軽量物を軽量物回収部に導くことにより、軽量ゴミの堆積を確実に防止するとともに優れた選別性能を発揮して当該軽量ゴミを効率良く円滑に回収することができる。これにより装置の小型化及び省エネを図ることができる。
【図面の簡単な説明】
【図１】風力選別装置の全体構成を示す側面図である。
【図２】風力選別装置の噴射手段等の概略構成を示す概略図である。
【図３】案内手段の構成を示す正面図である。
【図４】案内手段の構成を示す側面図である。
【符号の説明】
１　搬送コンベア（搬送手段）
１２　搬出端部
３　軽量ゴミ回収部（軽量物回収部）
４　重量ゴミ回収部（重量物回収部）
５　噴射手段
６　案内手段
６１　駆動ローラ
６２　支持調整機構
【図１】
2004008879.tif 000003
【図２】
2004008879.tif 000004
【図３】
2004008879.tif 000005
【図４】
2004008879.tif 000006